(57)【要約】【課題】映像信号の編集装置を遠隔制御する編集制御装置において、操作性を向上させる。【解決手段】編集制御装置１０は、複数のＶＴＲが接続可能とされており、これらのＶＴＲの通常のビデオ動作の遠隔制御並びにこれらのＶＴＲに編集機能があれば編集制御を行うことができる。編集制御装置１０は、特殊機能の操作を行うボタン群１５に対して、編集モードで動作する場合には編集特有の制御を割り付け、通常のモードで動作する場合には通常のビデオ動作の制御を割り付ける。【選択図】図１
2006302344.tif 000002
【特許請求の範囲】
【請求項１】
映像信号再生装置、映像信号記録装置又は映像信号記録再生装置の動作制御を行うことが可能であるとともに、映像信号再生装置又は映像信号記録再生装置により再生された映像信号を映像信号記録装置又は映像信号記録再生装置により記録する映像編集処理の動作制御を行うことが可能な編集制御装置において、
映像信号再生装置、映像信号記録装置又は映像信号記録再生装置の動作を遠隔制御するために、制御線又は無線通信によりこれらの装置が接続される複数の通信端子と、
前記各装置に対する動作制御が割り当てられておりユーザによる操作入力がされる複数の操作入力部を有するユーザインタフェース部と、
前記操作入力部に対して操作が行われたときに、その操作入力部に割り当てられた動作制御命令を、各前記通信端子を介して発生する制御部とを備え、
前記制御部は、前記複数の操作入力部の全部又は一部に割り当てられている動作制御内容を、映像編集時とそれ以外の動作制御時とで変更すること
を特徴とする編集制御装置。
【請求項２】
前記制御部は、
各通信端子に接続されている装置の機能を検出し、映像編集が可能であるか否かを判断し、
映像編集が可能である場合には、前記複数の操作入力部の全部又は一部に割り当てられている動作制御内容を、映像編集用に設定し、
映像編集が不可能である場合には、前記複数の操作入力部の全部又は一部に割り当てられている動作制御内容を、通常動作制御用に設定すること
を特徴とする請求項１記載の編集制御装置。
【請求項３】
２４フレーム／秒の映像信号用の同期信号を発生するシンク発生部を、さらに備えること
を特徴とする請求項１記載の編集制御装置。
【発明の詳細な説明】
【技術分野】
【０００１】
本発明は、映像信号の編集装置を遠隔制御する編集制御装置に関するものである。
【背景技術】
【０００２】
従来より、ＶＴＲの動作を遠隔制御することができるリモートコントローラがある（例えば、特許文献１参照。）。このようなリモートコントローラは、再生開始，記録開始，停止等の通常のビデオ動作の制御を行うのみでなく、２以上のＶＴＲを同期動作させて各種の編集を行わせることが可能である。
【０００３】
このようなリモートコントローラでは、ユーザにとって操作がしやすいかどうかが重要となる。
【０００４】
【特許文献１】特開平４−４０６８７
【発明の開示】
【発明が解決しようとする課題】
【０００５】
本発明は、映像信号の編集装置を遠隔制御する編集制御装置において、操作性を向上させることを目的とする。
【課題を解決するための手段】
【０００６】
本発明に係る編集制御装置は、映像信号再生装置、映像信号記録装置又は映像信号記録再生装置の動作制御を行うことが可能であるとともに、映像信号再生装置又は映像信号記録再生装置により再生された映像信号を映像信号記録装置又は映像信号記録再生装置により記録する映像編集処理の動作制御を行うことが可能な編集制御装置であって、映像信号再生装置、映像信号記録装置又は映像信号記録再生装置の動作を遠隔制御するために、制御線又は無線通信によりこれらの装置が接続される複数の通信端子と、前記各装置に対する動作制御が割り当てられておりユーザによる操作入力がされる複数の操作入力部を有するユーザインタフェース部と、前記操作入力部に対して操作が行われたときに、その操作入力部に割り当てられた動作制御命令を、各前記通信端子を介して発生する制御部とを備え、前記制御部は、前記複数の操作入力部の全部又は一部に割り当てられている動作制御内容を、映像編集時とそれ以外の動作制御時とで変更することを特徴とする。
【０００７】
この編集制御装置では、前記複数の操作入力部の全部又は一部に割り当てられている動作制御内容を、映像編集時とそれ以外の動作制御時とで変更する。
【発明の効果】
【０００８】
本発明に係る編集制御装置では、前記複数の操作入力部の全部又は一部に割り当てられている動作制御内容を、映像編集時とそれ以外の動作制御時とで変更することにより、操作性が向上する。
【発明を実施するための最良の形態】
【０００９】
以下、本発明が適用されたリモート編集制御装置について説明をする。
【００１０】
図１は、本発明が適用されたリモート編集制御装置１０の外観斜視図である。図２は、リモート編集制御装置１０の背側面１０ｂを示した図である。
【００１１】
リモート編集制御装置１０は、ビデオテープに対して映像信号の記録及び再生をするビデオテープレコーダ、又は、ビデオテープから映像信号を再生するビデオテーププレーヤの動作を、遠隔制御する装置である。具体的には、リモート編集制御装置１０は、ビデオテープレコーダ又はプレーヤとＲＳ４２２等のインタフェースケーブルで接続され、接続されたビデオテープレコーダ又はプレーヤの動作をＲＳ４２２等のインタフェースケーブルを介して遠隔制御する。リモート編集制御装置１０は、ビデオテープレコーダ又はプレーヤに対して、例えば、再生動作開始、記録動作開始、一時停止、早送り開始、巻き戻し開始等の通常のビデオ動作の制御をさせることができる。また、リモート編集制御装置１０は、編集機能を有するビデオテープレコーダ又はプレーヤに対しては、通常のビデオ動作の制御に加えて、イン点（編集の開始の映像位置）の設定命令（ＩＮ）、アウト点（編集の終了の映像位置）の設定命令（ＯＵＴ）、所定位置への自動移動命令（ＧＯ  ＴＯ）、微調整送り再生命令（ＴＲＩＭ）等のビデオ編集のための動作制御をさせることができる。
【００１２】
リモート編集制御装置１０には、その主面１０ａに、操作入力部及び表示部等のユーザインタフェースが設けられている。具体的には、リモート編集制御装置１０には、主面１０ａの右上部分に再生開始，記録開始，停止，早送り，巻き戻り等の通常のビデオ動作を行わせる通常ボタン群１１と、主面１０ａの右下部分に回転操作に応じて各種の制御を行わせるための回転操作部１２と、主面１０ａの左上部分にタイムコードを表示するタイムコード表示部１３と、主面１０ａの中央部分に通常動作モードと編集モード（詳細後述。）との切換を手動で行うディップスイッチ１４とが設けられている。
【００１３】
さらに、リモート編集制御装置１０には、主面１０ａの左下部分に、各ボタンに割り付けられている制御内容が通常動作モード時と編集モード時とで切り替えられる特殊機能ボタン群１５が設けられている。
【００１４】
また、リモート編集制御装置１０は、図２に示すように、背側面１０ｂに、２つのＲＳ４２２の接続端子１６、１７と、パーソナルコンピュータ等が接続される１つのＲＳ２３２の接続端子１８と、映像信号の同期信号が入出力される同期信号入出力端子１９とが設けられている。
【００１５】
リモート編集制御装置１０では、ＲＳ４２２の接続端子１６、１７を介して、制御対象となるビデオテープレコーダ及びプレーヤと接続される。リモート編集制御装置１０では、２つのＲＳ４２２の接続端子が設けられており、２つのビデオテープレコーダ又はプレーヤの動作制御を同時にすることができる。なお、ここでは、リモート編集制御装置１０に接続できるビデオテープレコーダ又はプレーヤ等は２つとなっているが、本発明では、接続端子の数を増やせば、接続できる機器は２つに限らず３以上の機器を接続し、これらを同時に制御することが可能となる。
【００１６】
また、リモート編集制御装置１０は、ビデオテープレコーダ又はプレーヤの動作制御を行うが、本発明はビデオテープレコーダやプレーヤに限らず、映像信号の記録又は再生装置であれば、光ディスク、磁気ディスク、半導体メモリ等どのようなメディアの再生装置及び記録装置であってもよい。また、リモート編集制御装置１０には、ＲＳ４２２の接続端子が設けられているが、インタフェースはＲＳ４２２に限らず、ＵＳＢ、ＩＥＥＥ１３９４等どのようなものであってもよい。
【００１７】
つぎに、リモート編集制御装置１０の動作モード及びレコーダ及びレコーダとの接続例について説明をする。
【００１８】
リモート編集制御装置１０には、その動作モードとして、通常動作モードと、編集モードとの２つのモードがある。
【００１９】
通常動作モードは、ビデオテープレコーダ又はビデオテーププレーヤに対して、通常のビデオ動作の制御（例えば、再生動作，記録動作，一時停止，早送り巻き戻し等）を遠隔操作するモードである。
【００２０】
通常動作モードでは、例えば、図３に示すように、ビデオレーププレーヤ２１及びビデオテープレコーダ２２に対する動作制御を同時に行うが、それぞれ関連性無く独立に制御を行う。具体的には、リモート編集制御装置１０は、通常動作モード時においては、ユーザによる操作入力部への操作入力に応じて、ＲＳ４２２のインタフェースを介して再生動作，記録動作，一時停止，早送り巻き戻し等のコマンドを発行することによって、ビデオレーププレーヤ２１及びビデオテープレコーダ２２の動作を、それぞれ独立に制御している。
【００２１】
なお、リモート編集制御装置１０では、外部から映像信号の同期信号を入力することができるので、同じ同期信号をそれぞれの機器に供給すれば、映像の同期を取った動作制御をすることが可能となる。
【００２２】
編集モードは、ビデオテープレコーダ又はビデオテーププレーヤに対して、通常のビデオ動作の制御に加えて、映像編集時の特殊な動作制御（例えば、イン点及びアウト点の設定，所定位置への自動移動，微調整送り再生等）を遠隔操作するモードである。編集モードは、接続されている機器（レコーダ及びプレーヤ）に編集機能が設けられているとともに、編集ができる接続関係となっていなければならない。
【００２３】
編集モードでは、図４に示すように、少なくとも１つのビデオテーププレーヤ（又はビデオテープレコーダでもよい。）２３と、１つのビデオテープレコーダ２４とがリモート編集制御装置１０に接続されおり、且つ、ビデオテーププレーヤ２３から出力された映像信号がビデオテープレコーダ２４に入力されるようにビデオケーブルでプレーヤ２３とレコーダ２４と間がビデオケーブル２５で接続されていなければならない。
【００２４】
このような接続関係となっているときには、リモート編集制御装置１０は、編集モードで動作することが可能となり、ビデオテーププレーヤ２３で特定の映像部分を再生しながら、その再生された映像信号をビデオテープレコーダ２４で同期されて記録する、といった映像編集の制御をすることができる。
【００２５】
具体的には、リモート編集制御装置１０は、編集モード時において、ユーザによる操作入力部への操作入力に応じて、ＲＳ４２２のインタフェースを介してイン点及びアウト点の設定，所定位置への自動移動，微調整送り再生等のコマンドを発行することによって、ビデオレーププレーヤ２３及びビデオテープレコーダ２４の動作を制御している。
【００２６】
なお、リモート編集制御装置１０では、外部から映像信号の同期信号を入力し、同じ同期信号を制御対象となっているビデオテーププレーヤ２３及びビデオテープレコーダ２４に供給して、同期信号を共通に用いる。
【００２７】
つぎに、リモート編集制御装置１０の内部構成について説明をする。
【００２８】
図５は、リモート編集制御装置１０の内部構成を示したブロック構成図である。
【００２９】
リモート編集制御装置１０は、図５に示すように、第１のＲＳ４２２ドライバ/レシーバ回路３１と、第２のＲＳ４２２ドライバ/レシーバ回路３２と、ＲＳＳ２３２ドライバ/レシーバ回路３３とを備えている。第１のＲＳ４２２ドライバ/レシーバ回路３１は、ＲＳ４２２接続端子１６に接続された機器との間で、ＲＳ４２２方式でデータの送受信を行う回路である。第２のＲＳ４２２ドライバ/レシーバ回路３２は、ＲＳ４２２接続端子１７に接続された機器との間で、ＲＳ４２２方式でデータの送受信を行う回路である。ＲＳ２３２ドライバ/レシーバ回路３３は、ＲＳ２３２接続端子１８に接続された機器との間で、ＲＳ２３２方式でデータの送受信を行う回路である。
【００３０】
また、リモート編集制御装置１０は、図５に示すように、ＣＰＵやＤＳＰ等からなる主制御部３４と、主制御部３４のデータの作業領域及び諸所のデータの記憶領域となるＲＡＭ３５及び不揮発性メモリ３６と、キーコントローラ３７とを備えている。
【００３１】
主制御部３４は、ビデオテープレコーダ及びプレーヤに対する制御コマンドの発行、ビデオテープレコーダ及びプレーヤからのコマンドの受信、これらの発行及び受信に伴う各種の演算及び制御を行う。また、主制御部３４は、表示部３４の表示制御も行う。
【００３２】
キーコントローラ３７は、操作入力部１１，１２，１４，１５に対するユーザの操作を受け付け、その操作を解釈して主制御部３４に送信する。キーコントローラ３７からの信号を受けた主制御部３４は、操作されたデバイスとその操作内容に応じて、対応した各種の制御を行ったり、ビデオテープレコーダ及びプレーヤに対する制御コマンドの発行を行ったりする。
【００３３】
また、リモート編集制御装置１０は、同期信号受信回路３８と同期信号発信回路３９と切り替えスイッチ４０とを有する同期信号処理回路４１を備えている。
【００３４】
同期信号受信回路３８は、同期信号入出力端子１９から入力された外部から与えられた同期信号に応じて、フレームタイミング等を生成する。生成されたフレームタイミングは、当該装置１０の内部の基準信号として主制御部３４に供給される。同期信号発信回路３８は、主制御部３４から与えられる当該装置１０の内部の基準信号に基づき、各種の映像信号の同期信号を生成する。例えば、同期信号発振回路３８は、５９．９４Ｈｚ、５０Ｈｚ、２９．９７Ｈｚの各映像信号に対応した同期信号を発生する。生成された同期信号は、同期信号入出力端子１９から外部へ出力される。切り替えスイッチ４０は、同期信号を外部から受信する場合と、同期信号を外部へ出力する場合とで同期信号入出力端子１９の接続を切り換える。この切り替え制御は、後述の主制御部３４により行われる。
【００３５】
さらに、同期信号発振回路３８は、２４フレーム／秒の映像信号（２８．９８Ｈｚ又は２４Ｈｚ）に対応した同期信号を生成し、出力することができる。
【００３６】
つぎに、リモート編集制御装置１０に設けられた操作入力部のうちの特殊機能ボタン群１５の操作制御内容の割り付けについて説明をする。
【００３７】
リモート編集制御装置１０では、通常動作モードと編集モードとの２つのモードに切り替えがされる。このため、リモート編集制御装置１０では、特殊機能ボタン群１５が操作された場合に行う制御の内容（すなわち、割り付けられている制御内容）を、通常動作モード時と編集モード時とで切り換えるようにして、ユーザの操作性を向上している。具体的には、特殊機能ボタン群１５の操作内容の解釈を、主制御部３４が現在のモードに応じて切り換えるようにしている。
【００３８】
図６は、通常動作モード時に、特殊機能ボタン群１５に割り付けられる制御内容の一例を示している。通常動作モード時、特殊機能ボタン群１５には、例えば、プレロール時間の設定（３，５，１０）、速度設定（０．２，０．５，０．８）、レビュー（順方向側）、レビュー（逆方向側）、レビュー、キューの設定、停止等の、通常のビデオ動作において行われる制御が割り付けられる。
【００３９】
図７は、編集モード時に、特殊機能ボタン群１５に割り付けられる制御内容の一例を示している。編集モード時、特殊機能ボタン群１５には、微調整再生（順方向側）、微調整再生（逆方向側）、所定位置への自動移動（ＧＯ  ＴＯ）、イン点（編集の開始の映像位置）の設定、アウト点（編集の終了の映像位置）の設定、プレビュー/レビュー、自動編集の開始、全停止（全ての機器の動作停止）等の編集時おいて用いられる制御が割り付けられる。
【００４０】
つぎに、モードの自動切り替え方法について説明をする。
【００４１】
リモート編集制御装置１０では、通常動作モードと編集モードとの切り換えが、主面１０ａに設けられたディップスイッチ１４により手動で行われる場合と、接続されている機器の機能に応じて自動切換を行う場合とがある。
【００４２】
図８は、モードの自動切換処理のフローチャートを示している。
【００４３】
図８の自動切換処理は、リモート編集制御装置１０の電源が投入された時、ＲＳ４２２の接続端子１６，１７に対して新たな接続が行われた時、その接続がユーザにより外された時に行われる。
【００４４】
主制御部３４は、自動切換処理を開始すると、まず、ステップＳ１において、当該リモート編集制御装置１０の編集モードで使用できる機能の動作禁止の設定をする。すなわち、通常動作モードに設定する。
【００４５】
続いて、主制御部３４は、ステップＳ２において、デバイスコードの検出のためのコマンドを、当該リモート編集制御装置１０に接続された全てのビデオテープレコーダ及びプレーヤに対して送信する。デバイスコードとは、ビデオテープレコーダ及びプレーヤの機種毎にユニークに設定されているコードであり、当該コードを参照するとその装置がどのような機能を持っているかを特定することが可能となる。
【００４６】
続いて、主制御部３４は、ステップＳ３において、各レコーダ及びプレーヤからのデバイスコードの返信を待つ。
【００４７】
続いて、主制御部３４は、ステップＳ４において、返信が無くタイムアウトとなったか否かを判断する。タイムアウトになってしまった場合には、ステップＳ２に戻り再度コマンドを発行するところから処理を再開する。タイムアウトにならず、デバイスコードが受信できた場合にはステップＳ５に進む。
【００４８】
続いて、主制御部３４は、ステップＳ５において、受信したデバイスコードを参照して、接続されている機器（レコーダ又はプレーヤ）が編集機能を有しているか否かを判断する。具体的には、主制御部３４は、各機器が編集機能を有しているか否かを示したデバイスコードテーブルを参照してその判断を行う。デイバスコードテーブルは、不揮発性メモリ３６内に格納されているものであり、世の中に存在するビデオテープレコーダやプレーヤのデイバスコードに対応させて、そのレコーダやプレーヤが有している各種の機能が示されたテーブルである。デバイスコードテーブルには、ここでは、少なくともそのレコーダやプレーヤが編集機能を有しているか否かが記述されている。
【００４９】
続いて、主制御部３４は、ステップＳ６において、接続されている全てのレコーダ又はプレーヤの機能を、デバイスコードテーブルから読み出せたか否かを判断する。読み出せなかった場合には、ステップＳ２に戻り再度コマンドを発行するところから処理を再開する。読み出せた場合には、ステップＳ７に進む。
【００５０】
続いて、主制御部３４は、ステップＳ７において、編集モードで動作させることが可能な接続関係となっているか否かを判断する。すなわち、主制御部３４は、少なくとも１つの編集機能を有するビデオテープレコーダが接続されており、且つ、少なくとも１つの編集機能を有するビデオテーププレーヤ（又はビデオテープレコーダ）が接続されているか否かを判断する。
【００５１】
また、主制御部３４は、リモート編集制御装置１０の規定上、プレーヤが接続される端子及びレコーダが接続される端子が予め決まってる場合には、レコーダ側にビデオテープレコーダが接続されているか否かを判断する。
【００５２】
以上のように、主制御部３４は、編集モードで動作させることが可能な接続関係となっているか否かを判断する。主制御部３４は、編集モードで動作させることが可能であれば、ステップＳ８に進み編集モードに自動切換えを行い、編集モードで動作させることができなければそのまま通常動作モードの状態で処理を終了する。
【００５３】
このように主制御部３４は、自動的に動作モードの変更をすることができる。このため、リモート編集制御装置１０では、特殊機能ボタン群１５の割り付けが自動的に切り替えられるので、操作性を向上させることができる。
【００５４】
なお、編集モードとするか通常動作モードとするかの判断は、例えば、レコーダが接続されるべき接続端子側に、編集のためのいずれかのコマンドを発行し、そのコマンドに対する返信を確認する。その返信が正常にされれば編集モードとし、返信が正常にされなければ通常動作モードとするようにして設定を行っても良い。
【００５５】
なお、以上のようなリモート編集制御装置１０では、内部に同期信号を発生する回路を有している。これを利用した接続関係を図９及び図１０に示している。
【００５６】
図９は、通常動作モード時において、リモート編集制御装置１０からレコーダ及びプレーヤに同期信号を供給する場合の接続関係を示した図である。また、図１０は、編集モード時において、リモート編集制御装置１０からレコーダ及びプレーヤに同期信号を供給する場合の接続関係を示した図である。
【００５７】
このようにリモート編集制御装置１０は、ビデオテープレコーダ及びプレーヤを供給することが可能である。特に、リモート編集制御装置１０では、２４フレーム／秒の映像信号の同期信号を発生することができるため、非常に有用である。
【図面の簡単な説明】
【００５８】
【図１】本発明が適用されたリモート編集制御装置の外観斜視図である。
【図２】リモート編集制御装置の背側面を示した図である。
【図３】通常動作モード時のリモート編集制御装置とレコーダ及びプレーヤとの接続関係を示す図である。
【図４】編集モード時のリモート編集制御装置とレコーダ及びプレーヤとの接続関係を示す図である。
【図５】リモート編集制御装置の内部構成を示すブロック図である。
【図６】通常動作モード時のボタン割り付け例を示した図である。
【図７】編集モード時のボタン割り付け例を示した図である。
【図８】通常動作モードと編集モードとの自動切換えのための処理フローを示した図である。
【図９】リモート編集制御装置から同期信号を出力場合での通常動作モード時のリモート編集制御装置とレコーダ及びプレーヤとの接続関係を示す図である。
【図１０】リモート編集制御装置から同期信号を出力場合での編集モード時のリモート編集制御装置とレコーダ及びプレーヤとの接続関係を示す図である。
【符号の説明】
【００５９】
１０  リモート編集制御装置、１５  特殊機能ボタン群、１６，１７  ＲＳ４２２接続端子、２１，２３  ビデオテーププレーヤ、２２，２４  ビデオテープレコーダ、３４  主制御部、３７  キーコントローラ
【図１】
2006302344.tif 000003
【図２】
2006302344.tif 000004
【図３】
2006302344.tif 000005
【図４】
2006302344.tif 000006
【図５】
2006302344.tif 000007
【図６】
2006302344.tif 000008
【図７】
2006302344.tif 000009
【図８】
2006302344.tif 000010
【図９】
2006302344.tif 000011
【図１０】
2006302344.tif 000012